(57)【要約】【課題】  低費用をもって管理することができるスライドコアガイド装置及びこれを具備した射出成形金型機構を提供すること。【解決手段】  スライドコアガイド装置６は、スライドコア５が一端部１１に、エジェクタ板５１が他端部１２に固定されると共に、Ａ方向に対して傾斜したＢ方向（傾斜方向）において移動自在となるように型体３の貫通孔に挿通される移動軸１３と、型体３のエジェクタ板５１側の部位１４に配されると共に、移動軸１３をＢ方向に滑動自在に且つＡ方向及びＢ方向に直交するＣ方向（軸方向）に伸びる軸心２８を中心としてＲ方向（回転方向）に回転自在に支持する軸支持具１５とを具備している。【選択図】図１
2006035781.tif 000002
【特許請求の範囲】
【請求項１】
スライドコアが一端部に、エジェクタ板が他端部に固定されると共に、一対の型体の接近及び離反方向に対して傾斜した傾斜方向において移動自在となるように一方の型体に挿通される移動軸と、一方の型体のエジェクタ板側の部位に配されると共に、移動軸を傾斜方向に滑動自在に且つ接近及び離反方向と傾斜方向とに直交する軸方向に伸びる軸心を中心として回転自在に支持する軸支持具とを具備しており、軸支持具は、移動軸が傾斜方向において滑動自在となるように挿通される挿通孔を有している軸支持具本体と、軸方向において挿通孔を間にして夫々配されて軸支持具本体に固着されている一対の被支え部と、一方の型体のエジェクタ板側の部位に夫々取り外し自在に取り付けられると共に、軸方向において軸支持具本体を間にして夫々配されて一対の被支え部を軸方向に伸びる軸心を中心として回転自在となるように夫々支える一対の支え部材とを具備しているスライドコアガイド装置。
【請求項２】
一対の被支え部は、傾斜方向と軸方向とに直交する幅方向における移動軸の幅よりも小さな幅を有している請求項１に記載のスライドコアガイド装置。
【請求項３】
移動軸は、断面円形状であり、一対の被支え部は、円周面で一対の支え部材に夫々滑接する円柱状体又は円筒状体を夫々具備しており、円柱状体又は円筒状体の夫々は、移動軸の径よりも小さな径を有している請求項１又は２に記載のスライドコアガイド装置。
【請求項４】
一対の被支え部の夫々の円柱状体又は円筒状体は、夫々互いに同形状である請求項１から３のいずれか一項に記載のスライドコアガイド装置。
【請求項５】
一対の被支え部の軸方向に伸びる軸心線は、移動軸の傾斜方向に伸びる中心線と交わる請求項１から４のいずれか一項に記載のスライドコアガイド装置。
【請求項６】
一対の支え部材は、軸方向において軸支持具本体に対して細隙をもって夫々配されている請求項１から５のいずれか一項に記載のスライドコアガイド装置。
【請求項７】
一対の支え部材は、夫々互いに同形状である請求項１から６のいずれか一項に記載のスライドコアガイド装置。
【請求項８】
請求項１から７のいずれか一項に記載のスライドコアガイド装置を具備した射出成形金型機構。
【請求項９】
移動軸の一端部に固定されたスライドコアと、移動軸の他端部にスライドコアを傾斜方向に移動させるための移動力を与える移動力付与手段とを具備しており、移動力付与手段は、エジェクタ板と、このエジェクタ板の移動力を移動軸の傾斜方向の移動力として移動軸の他端部に伝達する伝達機構とを具備している請求項８に記載の射出成形金型機構。
【請求項１０】
請求項１から７のいずれか一項に記載のスライドコアガイド装置に用いられる軸支持具。
【発明の詳細な説明】
【技術分野】
【０００１】
本発明は、射出成形金型機構によるアンダーカット処理において、スライドコアが固定される移動軸を用いて当該スライドコアを移動させるスライドコアガイド装置及びこれを具備した射出成形金型機構に関する。
【背景技術】
【０００２】
【特許文献１】特開２００３−３０５７３０号公報
【０００３】
例えば特許文献１においては、可動の型体の昇降方向に対して傾斜した傾斜方向に移動自在である移動軸が挿通されている固定の型体の下部に配されていると共に、球面座を有したハウジングとこのハウジングの球面座に回転自在に保持された球面状外面及び移動軸が挿通される挿通孔を有した球状の軸支持具本体とからなる軸支持具を具備しているスライドコアガイド装置が提案されている。斯かるスライドコアガイド装置では、移動軸に生じ得る撓みに追従して球状の軸支持具本体を自由に回転させることにより、型体を支点として移動軸に生じる曲げモーメントに基づいて固定の型体の下部に生じ得る集中荷重の分散を図っている。
【発明の開示】
【発明が解決しようとする課題】
【０００４】
ところで、斯かるスライドコアガイド装置では、軸支持具がハウジングとこのハウジングの球面座に回転自在に保持された球面状外面及び移動軸が挿通される挿通孔を有した球状の軸支持具本体とからなるために、ハウジングと軸支持具本体とを分離し難いことから軸支持具のハウジングのみ又は軸支持具本体のみを交換等することができず、而して、低費用をもって管理することが困難である。
【０００５】
また、斯かるスライドコアガイド装置では、球面状外面で球面座に回転自在に保持される球状の軸支持具本体の挿通孔に移動軸が挿通されるために、移動軸に生じる曲げモーメントに基づいて軸支持具本体を小さな回転力をもって回転させることが困難であり、而して、移動軸を傾斜方向に滑らかに移動させることが困難である。
【０００６】
本発明は、前記諸点に鑑みてなされたものであり、その目的とするところは、低費用をもって管理することができるスライドコアガイド装置及びこれを具備した射出成形金型機構を提供することにある。また、本発明の他の目的とするところは、移動軸を傾斜方向に滑らかに移動させることができるスライドコアガイド装置及びこれを具備した射出成形金型機構を提供することにある。
【課題を解決するための手段】
【０００７】
本発明の第一の態様のスライドコアガイド装置は、スライドコアが一端部に、エジェクタ板が他端部に固定されると共に、一対の型体の接近及び離反方向に対して傾斜した傾斜方向において移動自在となるように一方の型体に挿通される移動軸と、一方の型体のエジェクタ板側の部位に配されると共に、移動軸を傾斜方向に滑動自在に且つ接近及び離反方向と傾斜方向とに直交する軸方向に伸びる軸心を中心として回転自在に支持する軸支持具とを具備しており、軸支持具は、移動軸が傾斜方向において滑動自在となるように挿通される挿通孔を有している軸支持具本体と、軸方向において挿通孔を間にして夫々配されて軸支持具本体に固着されている一対の被支え部と、一方の型体のエジェクタ板側の部位に夫々取り外し自在に取り付けられると共に、軸方向において軸支持具本体を間にして夫々配されて一対の被支え部を軸方向に伸びる軸心を中心として回転自在となるように夫々支える一対の支え部材とを具備している。
【０００８】
第一の態様のスライドコアガイド装置によれば、特に、軸支持具が、移動軸が傾斜方向において滑動自在となるように挿通される挿通孔を有している軸支持具本体と、軸方向において挿通孔を間にして夫々配されて軸支持具本体に固着されている一対の被支え部と、一方の型体のエジェクタ板側の部位に夫々取り外し自在に取り付けられると共に、軸方向において軸支持具本体を間にして夫々配されて一対の被支え部を軸方向に伸びる軸心を中心として回転自在となるように夫々支える一対の支え部材とを具備しているために、一方の型体を支点とする移動軸の曲げモーメントに基づく移動軸から一方の型体に対する局部的な押圧力の発生をなくし得て、移動軸、型体等の摩耗の低減、移動軸の折損の防止やスライドコアの所定位置への正確な移動を図り得る上に、軸支持具を一方の型体から取り外すことで一対の被支え部が固着された軸支持具本体と一対の支え部材とを簡単に分離することができて軸支持具本体のみ又は支え部材のみを交換等することができ、而して、軸支持具ひいてはスライドコアガイド装置自体を低費用をもって管理することができる。また、第一の態様のスライドコアガイド装置によれば、回転自在な軸支持具本体が一対の支え部間に配されているために、軸支持具本体の回転方向に関して移動軸の傾斜角度の幅広い調整を行うことができる。
【０００９】
本発明においては、その第二の態様のスライドコアガイド装置のように、一対の被支え部は、傾斜方向と軸方向とに直交する幅方向における移動軸の幅よりも小さな幅を有していてもよい。
【００１０】
本発明においては、その第三の態様のスライドコアガイド装置のように、移動軸は、断面円形状であってもよく、一対の被支え部は、円周面で一対の支え部材に夫々滑接する円柱状体又は円筒状体を夫々具備していてもよく、円柱状体又は円筒状体の夫々は、移動軸の径よりも小さな径を有していてもよい。
【００１１】
第二又は第三の態様のスライドコアガイド装置によれば、上述の構成を具備しているために、移動軸に生じる曲げモーメントに基づいて軸支持具本体を小さな回転力をもって回転させることができ、而して、移動軸を傾斜方向に滑らかに移動させることができる。
【００１２】
本発明においては、その第四の態様のスライドコアガイド装置のように、一対の被支え部の夫々の円柱状体又は円筒状体は、夫々互いに同形状であってもよい。
【００１３】
本発明においては、その第五の態様のスライドコアガイド装置のように、一対の被支え部の軸方向に伸びる軸心線は、移動軸の傾斜方向に伸びる中心線と交わっていてもよい。
【００１４】
本発明においては、その第六の態様のスライドコアガイド装置のように、一対の支え部材は、軸方向において軸支持具本体に対して細隙をもって夫々配されていてもよい。
【００１５】
第六の態様のスライドコアガイド装置によれば、上述の構成を具備しているために、軸支持具本体の回転に基づく軸支持具本体と一対の支え部との摩擦抵抗を軽減し又は当該摩擦抵抗をなくし得る上に、移動軸に対する軸支持具本体の軸方向における位置の微調整が可能となる。
【００１６】
本発明においては、その第七の態様のスライドコアガイド装置のように、一対の支え部材は、夫々互いに同形状であってもよい。
【００１７】
本発明の第一の態様の射出成形金型機構は、第一から第七のいずれかの態様のスライドコアガイド装置を具備している。
【００１８】
本発明においては、その第二の態様の射出成形金型機構のように、移動軸の一端部に固定されたスライドコアと、移動軸の他端部にスライドコアを傾斜方向に移動させるための移動力を与える移動力付与手段とを具備していてもよく、移動力付与手段は、エジェクタ板と、このエジェクタ板の移動力を移動軸の傾斜方向の移動力として移動軸の他端部に伝達する伝達機構とを具備していてもよい。
【発明の効果】
【００１９】
本発明によれば、低費用をもって管理することができるスライドコアガイド装置及びこれを具備した射出成形金型機構を提供し得る。また、本発明によれば、移動軸を傾斜方向に滑らかに移動させることができるスライドコアガイド装置及びこれを具備した射出成形金型機構を提供し得る。
【発明を実施するための最良の形態】
【００２０】
次に、本発明の実施の形態の例を、図に示す例に基づいて更に詳細に説明する。尚、本発明はこれら例に何等限定されないのである。
【実施例】
【００２１】
図１から図７において、本例の射出成形金型機構１は、基台８と、Ａ方向において互いに接近及び離反する板状の型体２及び３と、型体３の窪み部４に収められているスライドコア５と、スライドコア５を型体３に対して移動させるスライドコアガイド装置６と、スライドコアガイド装置６にスライドコア５を移動させるための移動力を与える移動力付与手段７とを具備している。
【００２２】
可動の型体２は、Ａ方向において固定の型体３に対して接近及び離反するようになっている。型体３には、ガイドブッシュ１０が嵌着されており、ガイドブッシュ１０の内周面は、Ａ方向に対して傾斜したＢ方向（傾斜方向）に伸びて型体３を貫通している貫通孔を画している。
【００２３】
スライドコアガイド装置６は、スライドコア５が一端部１１に、エジェクタ板５１が他端部１２に固定されると共に、Ｂ方向において移動自在となるように型体３の貫通孔に挿通される移動軸１３と、型体３のエジェクタ板５１側の部位１４に配されると共に、移動軸１３をＢ方向に滑動自在に且つＡ方向及びＢ方向に直交するＣ方向（軸方向）に伸びる軸心２８を中心としてＲ方向（回転方向）に回転自在に支持する軸支持具１５とを具備している。
【００２４】
移動軸１３は、断面円形状である。移動軸１３の他端部１２は、ホルダ８５に保持されている。移動軸１３は、ガイドブッシュ１０に対してＢ方向に滑動自在である。尚、移動軸１３の他端部１２には、当該他端部１２がホルダ８５から抜け出ないように、ボルト１８が螺合されている。
【００２５】
軸支持具１５は、移動軸１３がＢ方向において滑動自在となるように挿通される挿通孔２１を有している軸支持具本体２２と、Ｃ方向において挿通孔２１を間にして夫々配されて軸支持具本体２２に固着されている一対の被支え部２３及び２４と、型体３の部位１４に夫々取り外し自在に取り付けられると共に、Ｃ方向において軸支持具本体２２を間にして夫々配されて被支え部２３及び２４を軸心２８を中心としてＲ方向に回転自在となるように夫々支える一対の支え部材２５及び２６とを具備している。軸支持具本体２２には、ブッシュ２０が嵌着されており、挿通孔２１は、ブッシュ２０の内周面によって画されている。
【００２６】
被支え部２３及び２４並びに支え部材２５及び２６は、夫々互いに同様に形成されているので、以下、被支え部２３及び支え部材２５について詳細に説明し、被支え部２４及び支え部材２６については図に適宜同符号を付してこれらの詳細な説明を省略する。
【００２７】
被支え部２３は、円周面３１で支え部材２５に滑接する円柱状体又は円筒状体、本例では円柱状体３２を具備している。Ｃ方向に伸びる円柱状体３２の軸支持具本体２２側の端部は、軸支持具本体２２に一体的に固着されている。
【００２８】
円柱状体３２は、Ｂ方向とＣ方向とに直交する幅方向における移動軸１３の幅よりも小さな幅を有している。また、円柱状体３２は、移動軸１３の径よりも小さな径を有している。円柱状体３２のＣ方向に伸びる軸心線２９は、図４に示すように、移動軸１３のＢ方向に伸びる中心線３５と交わっている。尚、中心線３５は、図５に示すようにＡ方向に伸びる線３６と交差している。
【００２９】
支え部材２５は、板状本体４１と、板状本体４１の軸支持具本体２２側の面４２に設けられていると共に被支え部２３を回転自在に支える支え部としての凹部４３と、板状本体４１のＡ方向で互いに対面する両端面４４で夫々開口していると共に板状本体４１のＡ方向及びＣ方向に直交するＤ方向で互いに対面する両端面４５側の部位に夫々設けられた一対のねじ孔４６と、板状本体４１のスライドコア５側の端面４４で夫々開口していると共に一対のねじ孔４６間に夫々配されている一対の位置決め溝４７と、一対の位置決め溝４７間に配されて板状本体４１に設けられた注油部４８とを具備しており、位置決め溝４７に位置決めピン等を介して型体３に対して位置決めされながらねじ孔４６にねじが挿通されることにより型体３に取り外し自在に取り付けられるようになっている。板状本体４１は、Ｃ方向において軸支持具本体２２に対して細隙、本例では０．５ｍｍの細隙をもって夫々配されている。
【００３０】
凹部４３は、円柱状体３２が配される円柱状空間を規定している内周面４９で円周面３１に滑接するようになっている。尚、凹部４３と円柱状体３２との隙間には、注油部４８を介して注油することが可能である。
【００３１】
以上の軸支持具１５は、エジェクタ板５１のＡ方向の移動に基づいてＢ方向に移動される移動軸１３に曲げモーメントが生じた場合には、当該曲げモーメントに基づいて押圧される軸支持具本体２２が支え部材２５及び２６に対してＲ方向に微少回転するようになっており、この微少回転により移動軸１３から軸支持具本体２２に与えられる局部的な押圧力を減少させる。
【００３２】
本例では移動軸１３の他端部１２にスライドコア５をＢ方向に移動させるための移動力を与えるようになっている移動力付与手段７は、Ａ方向に移動するエジェクタ板５１と、エジェクタ板５１のＡ方向の移動力を移動軸１３のＢ方向の移動力として移動軸１３の他端部１２に伝達する伝達機構５３とを具備している。
【００３３】
板状のエジェクタ板５１は、型体３及び基台８間に配されており、型体３及び基台８間においてＡ方向に移動するようになっている。エジェクタ板５１には、ベース７３等を介してホルダ８５が取り付けられている。
【００３４】
伝達機構５３は、特に図１及び図６に示すように、Ｃ方向と同方向で互いに対向して配されている一対の案内溝７１及び７２を有していると共にエジェクタ板５１に固着されているベース７３と、案内溝７１にＤ方向に滑動自在に配されていると共に軸受孔７５を有しているスライド板７６と、案内溝７２にＤ方向に滑動自在となるように配されていると共に軸受孔７８を有しているスライド板７９と、スライド板７６及び７９の軸受孔７５及び７８に夫々挿入されている軸８３及び８４が固着されていると共に軸８３及び８４を介してスライド板７６及び７９にＲ方向に回転自在に支持されたホルダ８５とを具備している。案内溝７１及び７２は、ホルダ８５のエジェクタ板５１に対するＤ方向の直動を許容している。
【００３５】
ベース７３は、夫々断面コ字形状を有して、Ｃ方向と同方向で互いに対向して配された一対のベース部材９１及び９２を具備しており、ベース部材９１及び９２の対向内側面９３及び９４の夫々に、案内溝７１及び７２が形成されている。
【００３６】
ベース部材９１及び９２の夫々は、ベース部材９１及び９２をエジェクタ板５１に固定するためのボルト９５を挿通するための複数の挿通孔９６を有している。ベース部材９１及び９２の夫々には、挿通孔９６を間にして位置決め用の挿通孔（図示せず）が複数個形成されている。
【００３７】
スライド板７６及び７９の夫々は、矩形状又は短冊形状を有しており、スライド板７６及び７９の夫々において、ベース部材９１及び９２並びにホルダ８５に対面する夫々の面には、これらとの間で滑らかな滑動を得るために、円形の固体潤滑体（図示せず）が複数個分散して埋め込まれている。尚、上記固体潤滑体を埋め込む代わりに、鋼板と焼結層とを有した複層の滑動部材でもってスライド板７６及び７９を形成して、ベース部材９１及び９２並びにホルダ８５に対面する側に焼結層が配されるようにして斯かるスライド板７６及び７９を用いてもよい。
【００３８】
軸８３及び８４の夫々は、ホルダ８５が移動軸１３の他端部１２を中心としてスライド板７６及び７９に対してＲ方向に回転自在となるように、本例では軸８３及び８４の軸心線が移動軸１３の中心線３５と直交するように、ほぼ直方体形状を有したホルダ８５の両側面１０３及び１０４の夫々に一体的に固着されている。
【００３９】
尚、軸８３及び８４の夫々を、ホルダ８５に固着する代わりに、スライド板７６及び７９の夫々に一体的に固着してもよく、斯かる場合には、軸受孔７５及び７８をホルダ８５の側面１０３及び１０４に夫々設けてもよい。
【００４０】
エジェクタ板５１に対してＤ方向に直動自在に且つスライド板７６及び７９に対してＲ方向に回転自在にエジェクタ板５１に装着されたホルダ８５は、移動軸１３の他端部１２を保持すべく、他端部１２を受容する保持部、本例では凹所からなる保持部１１１を有している。
【００４１】
保持部１１１に挿入された移動軸１３の他端部１２には、ホルダ８５に固定されたキー部材１１２が係合する切欠きが形成されている。移動軸１３の円周方向の回転は、前記切欠きとキー部材１１２との係合によって禁止されている。
【００４２】
以下、本例の射出成形金型機構１による製品１２１のアンダーカット部１２２の処理について詳細に説明する。まず、固定の型体３に対する可動の型体２のＡ方向の移動により型体２及び３を互いに接近させ、接近させた型体２及び３間において製品１２１を図１に示すように射出成形する。アンダーカット部１２２は、スライドコア５を成形型として射出成形される。
【００４３】
次に、図１に示す状態から型体２をＡ方向に移動させて型体２及び３を図７に示すように互いに離反させ、これと同期してエジェクタ板５１を前記型体２の移動と同方向に移動させてホルダ８５をエジェクタ板５１と同方向に移動させる。このように移動されるホルダ８５は、当該移動と共にエジェクタ板５１に対してＤ方向に直動することによりＢ方向に移動され、斯かるＢ方向の移動により移動軸１３の他端部１２にＢ方向の移動力を与える。移動力が与えられた移動軸１３は、型体２の移動に連動してスライドコア５をＢ方向に移動させて型体３から離反させる。Ｂ方向に移動されるスライドコア５は、Ｄ方向に関してアンダーカット部１２２から離反するので製品１２１が容易に取り出し可能となる。
【００４４】
本例の射出成形金型機構１によれば、スライドコア５が一端部１１に、エジェクタ板５１が他端部１２に固定されると共に、一対の型体２及び３の接近及び離反方向、本例ではＡ方向に対して傾斜した傾斜方向、本例ではＢ方向において移動自在となるように一方の型体３に挿通される移動軸１３と、型体３のエジェクタ板５１側の部位１４に配されると共に、移動軸１３をＢ方向に滑動自在に且つＡ方向とＢ方向とに直交する軸方向、本例ではＣ方向に伸びる軸心２８を中心としてＲ方向に回転自在に支持する軸支持具１５とを具備しているスライドコアガイド装置６を具備しており、スライドコアガイド装置６の軸支持具１５が、移動軸１３がＢ方向において滑動自在となるように挿通される挿通孔２１を有している軸支持具本体２２と、Ｃ方向において挿通孔２１を間にして夫々配されて軸支持具本体２２に固着されている一対の被支え部２３及び２４と、型体３の部位１４に夫々取り外し自在に取り付けられると共に、Ｃ方向において軸支持具本体２２を間にして夫々配されて被支え部２３及び２４を軸心２８を中心としてＲ方向に回転自在となるように夫々支える一対の支え部材２５及び２６とを具備しているために、軸支持具本体２２を移動軸１３の曲げモーメントに応じて微少回転させることで、型体３を支点とする移動軸１３の曲げモーメントに基づく移動軸１３から型体３に対する局部的な押圧力の発生をなくし得て、移動軸１３、型体３等の摩耗の低減、移動軸１３の折損の防止やスライドコア５の所定位置への正確な移動を図り得る上に、軸支持具１５を型体３から取り外すことで被支え部２３及び２４が固着された軸支持具本体２２と支え部材２５及び２６とを簡単に分離することができて軸支持具本体２２のみ又は支え部材２５及び２６のみを交換等することができ、而して、軸支持具１５ひいてはスライドコアガイド装置６自体を低費用をもって管理することができる。また、本例の射出成形金型機構１によれば、回転自在な軸支持具本体２２が一対の支え部２５及び２６間に配されているために、軸支持具本体２２のＲ方向に関して移動軸１３の傾斜角度の幅広い調整を行うことができる。
【００４５】
射出成形金型機構１によれば、一対の被支え部２３及び２４が、Ｂ方向とＣ方向とに直交する幅方向における移動軸１３の幅よりも小さな幅を有しているために、また、断面円形状の移動軸１３の径よりも小さな径を有した円柱状体又は円筒状体、本例では円柱状体３２を夫々具備しているために、移動軸１３に生じる曲げモーメントに基づいて軸支持具本体２２を小さな回転力をもってＲ方向に回転させることができ、而して、移動軸１３をＢ方向に滑らかに移動させることができる。
【００４６】
射出成形金型機構１によれば、一対の支え部材２５及び２６が、Ｃ方向において軸支持具本体２２に対して細隙をもって夫々配されているために、軸支持具本体２２のＲ方向の回転に基づく軸支持具本体２２と一対の支え部２５及び２６との摩擦抵抗を軽減し又は当該摩擦抵抗をなくし得る上に、移動軸１３に対する軸支持具本体２２のＣ方向における位置の微調整が可能となる。
【００４７】
尚、射出成形金型機構１の移動力付与手段７は、移動軸１３と平行となるようにＢ方向に伸びて型体３及び基台８の夫々に固定された案内軸と、この案内軸が挿通される挿通孔を有していると共にスライド板７６及び７９の夫々にＲ方向に回転自在に装着された他のホルダとを更に具備していてもよい。
【００４８】
射出成形金型機構１は、移動力付与手段７に代えて、移動軸１３の他端部１２が取り付けられたエジェクタ板５１自体をＢ方向に移動させることにより移動軸１３の他端部１２にＢ方向の移動力を与える移動力付与手段を具備していてもよい。また、射出成形金型機構１は、移動力付与手段７に代えて、移動軸１３の他端部１２にＡ方向の移動力を与える移動力付与手段を具備していてもよく、斯かる場合には、当該移動力付与手段から移動力が与えられる移動軸１３は軸心２８を中心としてＲ方向に揺動されながらスライドコア５を移動させるために、型体３の貫通孔は、移動軸１３に対して前記揺動を許容することができる程度の間隔をもって構成される。
【図面の簡単な説明】
【００４９】
【図１】本発明の実施の形態の例の断面説明図である。
【図２】図１に示す例の主に軸支持具の斜視説明図である。
【図３】図２に示す例の平面説明図である。
【図４】図３に示す例のＩＶ−ＩＶ線断面矢視説明図である。
【図５】図１に示す例の主に軸支持具の説明図である。
【図６】図１に示す例の主に伝達機構の断面説明図である。
【図７】図１に示す例の動作説明図である。
【符号の説明】
【００５０】
１  射出成形金型機構
２、３  型体
５  スライドコア
６  スライドコアガイド装置
７  移動力付与手段
１３  移動軸
１４  部位
１５  軸支持具
２２  軸支持具本体
２３、２４  被支え部
２５、２６  支え部材
２８  軸心
５１  エジェクタ板
【図１】
2006035781.tif 000003
【図２】
2006035781.tif 000004
【図３】
2006035781.tif 000005
【図４】
2006035781.tif 000006
【図５】
2006035781.tif 000007
【図６】
2006035781.tif 000008
【図７】
2006035781.tif 000009